(57)【要約】【課題】  前後方向の側面に壁面用目地装置が当接していても、地震で左右の躯体が異なる前後方向に大きく揺れ動いた際に、損傷することなくその揺れ動きを吸収することができる天井用目地装置を提供すること。【解決手段】  左右の躯体の天井部分の目地部を塞ぐ天井用目地装置であって、前記左右の躯体にそれぞれヒンジ部材を介して取り付けられ、前記目地部を塞ぐ左右一対の天井用目地プレートと、前記左右一対の天井用目地プレートにそれぞれ設けられ、天井用目地プレートを略水平状態に保持する左右一対の保持手段とを有し、前記左右一対の天井用目地プレートは、それぞれ目地プレート取付部を有する目地プレート取付片と、該目地プレート取付片に左右端部がそれぞれ枢支状態で設けられた複数の目地プレート本体とから成り、前後方向から押圧された際に、前記天井用目地プレートが可逆的に位置変位できることを特徴とする。【選択図】  図１
2017203326.tif 000002
【特許請求の範囲】
【請求項１】
左右の躯体の天井部分の目地部を塞ぐ天井用目地装置であって、前記左右の躯体にそれぞれヒンジ部材を介して取り付けられ、前記目地部を塞ぐ左右一対の天井用目地プレートと、前記左右一対の天井用目地プレートにそれぞれ設けられ、天井用目地プレートを略水平状態に保持する左右一対の保持手段とを有し、前記左右一対の天井用目地プレートは、それぞれ目地プレート取付部を有する目地プレート取付片と、該目地プレート取付片に左右端部がそれぞれ枢支状態で設けられた複数の目地プレート本体とから成り、前後方向から押圧された際に、前記天井用目地プレートが可逆的に位置変位できることを特徴とする天井用目地装置。
【請求項２】
前記複数の目地プレート本体は、隣り合う目地プレート本体の一部が、それぞれ重なりあうように設けられていることを特徴とする請求項１記載の天井用目地装置。
【請求項３】
前記複数の目地プレート本体は、略六角形状又は略小判状のいずれかであって、その左右端部が目地プレート取付片に枢支されていることを特徴とする請求項１又は請求項２のいずれかに記載の天井用目地装置。
【請求項４】
前記目地プレート取付片は、角部がそれぞれ連結ピンで枢支された矩形枠状に形成されていることを特徴とする請求項１乃至請求項３のいずれかに記載の天井用目地装置。
【請求項５】
前記一対の天井用目地プレートの対向端部には、対向する天井用目地プレートと咬合する咬合部がそれぞれ形成されていることを特徴とする請求項１乃至請求項４のいずれかに記載の天井用目地装置。
【請求項６】
前記天井用目地装置の前後方向の側面には、壁面用目地装置が当接していることを特徴とする請求項１乃至請求項５のいずれかに記載の天井用目地装置。
【発明の詳細な説明】
【技術分野】
【０００１】
本発明は左右の躯体間の目地部を塞ぐ天井用目地装置に関する。
【背景技術】
【０００２】
従来、この種の天井用目地装置としては「目地部を介して設けられた左右の建物の目地部側の天井部分の壁面に固定された先端部の可動部材が、該壁面より離れた下方に位置する一対のヒンジ部材と、この一対のヒンジ部材の可動部材に後端部が取付けられた先端部が前記目地部のほぼ中央部に同一面となるように位置する一対の天井目地プレートと、この一対の天井目地プレートの先端部が常時上方へ位置するように付勢する一端部が該一対の天井目地プレートの先端部寄りの部位に取付けられ、他端が前記天井部分の壁面に取付けられた付勢スプリングと、前記一対の天井目地プレートの先端部が、該一対の天井目地プレートが水平状態より上方へ回動するのを阻止する一対のストッパー片とからなることを特徴とする天井用目地装置」（特許文献１参照）が知られている。
【０００３】
しかし、このような天井用目地装置では、左右の躯体が異なる前後方向に揺れ動き、前記特許文献１の図８のような状態となると、一対の天井目地プレートが階段状にずれることになる。そうすると、天井用目地装置の前後方向に障害物のようなものが合った場合、天井用目地装置か障害物のいずれかが破損してしまうという欠点があった。
具体的には、例えば天井用目地装置の前後方向の側面に壁面用目地装置が当接する場合、壁面用目地装置に天井目地プレートが衝突し、少なくともどちらか一方が損傷等してしまうという欠点があった。
【先行技術文献】
【特許文献】
【０００４】
【特許文献１】特開２０１１−２０２４２８号公報
【発明の概要】
【発明が解決しようとする課題】
【０００５】
本発明は以上のような従来の欠点に鑑み、前後方向の障害物が存在していても、地震で左右の躯体が異なる前後方向に大きく揺れ動いた際に、損傷することなくその揺れ動きを吸収することができる天井用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の天井用目地装置は、左右の躯体の天井部分の目地部を塞ぐ天井用目地装置であって、前記左右の躯体にそれぞれヒンジ部材を介して取り付けられ、前記目地部を塞ぐ左右一対の天井用目地プレートと、前記左右一対の天井用目地プレートにそれぞれ設けられ、天井用目地プレートを略水平状態に保持する左右一対の保持手段とを有し、前記左右一対の天井用目地プレートは、それぞれ目地プレート取付部を有する目地プレート取付片と、該目地プレート取付片に左右端部がそれぞれ枢支状態で設けられた複数の目地プレート本体とから成り、前後方向から押圧された際に、前記天井用目地プレートが可逆的に位置変位できることを特徴とする。
【発明の効果】
【０００８】
以上の説明から明らかなように、本発明にあっては次に列挙する効果が得られる。
（１）請求項１に記載された発明においては、天井用目地プレートは前後方向から押圧された際に、天井用目地プレートが可逆変形できるので、地震で左右の躯体が異なる前後方向に揺れ動いた際に、天井用目地プレートが柱や壁面等の障害物等に当接した場合、この障害物等に押圧され略平行四辺形状に変形することができ、可逆変形であるので、元の状態に戻すこともできる。
したがって、天井用目地プレートや障害物を破損することなく地震による揺れ動きを吸収することができる。
（２）請求項２に記載された発明も前記（１）と同様な効果が得られるとともに、隙間なく目地部を覆うことができる。
（３）請求項３に記載された発明も前記（１）〜（２）と同様な効果が得られるとともに、左右の枢支部分に寸法的な余裕ができるので、天井用目地プレートが大きく変形した場合でも、隣り合う目地プレート本体の左右端部同士が干渉することを防止できる。
（４）請求項４に記載された発明も前記（１）〜（３）と同様な効果が得られる。
（５）請求項５に記載された発明も前記（１）〜（４）と同様な効果が得られるとともに、目地部が狭くなった場合に、天井用目地プレートが滑ることなく確実に合掌状態となり地震による揺れ動き吸収することができる。
（６）請求項６に記載された発明も前記（１）〜（５）と同様な効果が得られるとともに、地震で左右の躯体が異なる前後方向に揺れ動いた際に、天井用目地プレートが壁面用目地装置に押圧され、目地プレート取付片が変形し、略平行四辺形状になることができる。
したがって、壁面用目地装置に当接した状態で壁用目地装置の変形に追従することができ、損傷することなくその揺れ動きを吸収することができる。
【図面の簡単な説明】
【０００９】
図１乃至図９は本発明の第１の実施形態を示す説明図である。
図１０乃至図１３は本発明の第２の実施形態を示す説明図である。
図１４乃至図１７は本発明の第３の実施形態を示す説明図である。
【図１】第１の実施形態の天井用目地装置の平面図。
【図２】天井用目地装置の底面図。
【図３】図１の３−３線に沿う断面図。
【図４】天井用目地プレート平面図（図１の右側のみ示す）。
【図５】図４の５−５線に沿う断面図。
【図６】天井用目地プレートの変形状態を示す説明図。
【図７】地震で目地部が狭くなった状態の動作説明図。
【図８】地震で目地部が広くなった状態の動作説明図。
【図９】左右の躯体が異なる前後方向に揺れ動いた場合の動作説明図。
【図１０】第２の実施形態の天井用目地装置の平面図。
【図１１】図１０の１１−１１線に沿う断面図。
【図１２】天井用目地プレートの平面図。
【図１３】図１２の１３−１３線に沿う断面図。
【図１４】第３の実施形態の天井用目地装置の平面図。
【図１５】図１４の１５−１５線に沿う断面図。
【図１６】天井用目地プレートの平面図。
【図１７】天井用目地プレートの変形状態を示す説明図。
【発明を実施するための形態】
【００１０】
以下、図面に示す本発明を実施するための形態により、本発明を詳細に説明する。
なお、本明細書では図１を基準として左右方向、前（図面上方）後（図面下方）方向という。また、図３を基準として上（図面上方）下（図面下方）方向という。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１１】
図１乃至図９に示す本発明を実施するための第１の形態において、１は目地部２を介して設けられた左右の躯体３、４間に設置された天井用目地装置である。
図１乃至図３に示すように、前記左右の躯体３、４の一方の躯体３には、本実施の形態においては、目地部２の左右方向の約半分をそれぞれ覆う左右一対の天井用目地プレート５が設けられている。
【００１２】
図３で示すように、この左右一対の天井用目地プレート５は、その対向端部５ｂがそれぞれ傾斜面６を有しており、一方、対向端部５ｂの反対側の基端部５ａは、それぞれ左右の躯体３、４にヒンジ部材７を介して回転可能に取り付けられている。
【００１３】
また、前記左右一対の天井用目地プレート５には、それぞれ天井用目地プレートを略水平状態に吊り下げる左右一対の保持手段８が１組又は前後方向に所定間隔を有して複数組設けられている。本実施の形態においては、１つの天井用目地プレート５に対し、該天井用目地プレート５を略水平状態に保持することができるように２つの保持手段８を設けている。
【００１４】
この保持手段８は、ワイヤー９とこのワイヤー９に接続するスプリング１０とで構成されている。具体的には、天井用目地プレート５の対向端部５ｂ付近の上面に前記ワイヤー９の下部側の一端部９ａが固定され、一方、該ワイヤー９の上部側の他端部９ｂがスプリング１０を介して一方の躯体３又は他方の躯体４の壁面に固定されている。また、一対の天井用目地プレート５が前記スプリング１０の付勢力によって、ヒンジ部材７を支点に略水平位置よりも上方へ回動しないように、左右の躯体３、４の壁面にストッパー１１が設けられている。
【００１５】
このストッパー１１は、本実施の形態においては、左右の躯体３、４の壁面に天井用目地プレート５が略密着しているので、左右の躯体３、４の壁面やヒンジ部材７の取付板自体がストッパーの役割を有するが、ストッパー１１として左右の躯体３、４の壁面にアングル状の金具を固定している。このストッパー１１は、天井用目地プレート５の基端部５ａ側の上面に固定しても良い。
【００１６】
本実施の形態においては、天井用目地装置１の前後方向の側面には、それぞれ壁面用目地装置１２が設けられている。この壁面用目地装置１２は、公知の壁面用目地装置１２で、左右方向に伸縮可能であり、前後方向に回動可能に設けられたものである。例えば、特開２０１２−０３１７１３号で用いられている壁用目地装置１２が考えられる。なお、どちらか一方の側面のみに壁面用目地装置１２を設けてもよい。
【００１７】
一対の天井用目地プレート５は、図４及び図５に示すように、目地プレート取付部１３を有する２つのバー状の目地プレート取付片１４と、該目地プレート取付部１３に左右端部がそれぞれ枢支ピン１５により枢支状態で設けられた複数の目地プレート本体１６、１６Ａとで構成されている。このように目地プレート本体１６、１６Ａは左右端部がそれぞれ枢支ピン１５で枢支されているので、前後方向から障害物等に押圧された際に、枢支ピン１５を支点に複数の目地プレート本体１６、１６Ａがそれぞれ回動し、天井用目地プレート５が変形する。この変形は、枢支ピン１５を支点に複数の目地プレート本体１６、１６Ａがそれぞれ回動することによりなされるものなので、天井用目地プレート５は破損等することなく元の形状に復帰することができる（可逆変形できる）。
【００１８】
なお、天井用目地プレート５の基端部５ａ側に位置する目地プレート取付片１４には、前記ヒンジ部材７が取り付けられ、対向端部５ｂに位置する目地プレート取付片１４には保持手段８が取り付けられている。
【００１９】
この複数の目地プレート本体１６は、前後方向の対向する２辺が長辺となっている略六角形状の板材で、左右の頂点部分付近が枢支ピン１５で枢支されている。
この目地プレート本体１６と隣り合う目地プレート本体１６Ａは、長辺部が重なりあうように設けられており、目地プレート本体１６と目地プレート本体１６Ａの干渉や衝突を防ぐため、左右の枢支部付近を折り曲げ、ハット型鋼のような形状に形成している。このような目地プレート本体１６Ａと、フラットな目地プレート本体１６を交互に配置することで、隣り合う目地プレート本体１６が上下方向に互い違いになり、干渉や衝突を防止している。目地プレート本体１６、１６Ａを六角形状とすることで、左右の枢支部付近に高低差がなくても、隣り合う目地プレート本体とは寸法的な余裕があり、左右端部（枢支部）同士が干渉することを防止できる。
【００２０】
また、前後方向の端部に位置する目地プレート本体１６は、外側の長辺部が折り曲げられ、壁面用目地装置１２が当接する面を形成している。
【００２１】
天井用目地プレート５の対向端部５ｂの傾斜面６には、対向する天井用目地プレート６と咬合する咬合部１７がそれぞれ形成されている。この咬合部１７は、歯車のギアのような形状に形成されており、本実施の形態においては、通常時（地震による躯体の揺れ動きがない状態）で咬み合っている。
【００２２】
この咬合部１７は、本実施の形態では天井用目地プレート５の対向端部５ｂの一部に設けたが、天井用目地プレート５の対向端部５ｂの全体に設けてもよい。
【００２３】
この一対の天井用目地プレート５は、図６に示すように、前後方向の側面に力が加わると、目地プレート本体１６、１６Ａがそれぞれ枢支ピン１５を支点に回動し、天井用目地プレート５が略平行四辺形状に位置変位する。この位置変位は、単に枢支ピン１５を支点に目地プレート本体１６、１６Ａがそれぞれ回転したことによって起こる位置変位であるため、逆方向から力を加える事で、破損することなく元の形状に復帰することができる可逆的なものである。
【００２４】
地震によって左右の躯体３、４の間の目地部２が狭くなると、図７に示すように、前記一対の天井用目地プレート５が合掌状態で下方へ突出し、地震による揺れ動きを吸収する。
【００２５】
この時、天井用目地プレート５の対向端部５ｂの傾斜面６には、対向する天井用目地プレートと咬合する咬合部１７がそれぞれ形成されているので、一対の天井用目地プレート５の対向端部５ｂ同士が滑ることなく合掌状態で突出させることができる。
【００２６】
地震による揺れ動きが止まり、通常時の位置に左右の躯体３、４が復帰すると、天井用目地プレート５は一対の保持手段８のスプリング１０の付勢力によってヒンジ部材７を支点に上方へ回動し、前記ストッパー１１と当接し略水平状態となる。
地震によって左右の躯体３、４の間の目地部２が広くなるように揺れ動いた場合には、図８に示すように、一対の天井用目地プレート５が離間するように移動し、地震による揺れ動きを吸収する。
【００２７】
なお、一対の天井用目地プレート５は一対の保持手段８により支持されているので、水平状態から下方へ回動することなく、水平状態を保ったまま左右方向にスライド移動できる。
【００２８】
地震によって左右の躯体３、４が異なる前後方向に揺れ動いた場合には、図９に示すように、天井用目地装置１の前後方向の側面に設けられた壁面用目地装置１２が、その取付端部を支点に回動して平面視斜め状態となる。この壁面用目地装置１２に押圧され、目地プレート本体１６、１６Ａがそれぞれ枢支ピン１５を支点に回動し、天井用目地プレート５が略平行四辺形状に変形し、壁面用目地装置１２の動きに追従し、地震による揺れ動きを吸収する。
【００２９】
［発明を実施するための異なる形態］
次に、図１０乃至図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３０】
図１０乃至図１３に示す本発明を実施するための第２の形態において、前記本発明を実施するための第１の形態と主に異なる点は、交互に高低を繰り返す段差を有する目地プレート取付部１３Ａを設けて、隣り合う目地プレート本体１６が上下方向に互い違いになるように目地プレート取付片１４Ａを形成し、この目地プレート取付片１４Ａを用いるとともに、対向端部５ｂに咬合部１７を有しない天井用目地プレート５Ａとした点で、このような天井用目地装置１Ａにしても前記本発明を実施するための第１の形態と同様な作用効果が得られる。
【００３１】
図１４乃至図１７に示す本発明を実施するための第３の形態において、前記本発明を実施するための第１の形態と主に異なる点は、四隅の角部がそれぞれ連結ピン１８で枢支された矩形枠状で、左右の枠部材に目地プレート取付部１３を備える目地プレート取付片１４Ｂと、該矩形状の目地プレート取付片１４Ｂの内側の開口部を塞ぐように設けられた複数の目地プレート本体１６、１６Ａを用いるとともに、対向端部５ｂに咬合部１７を有しない天井用目地プレート５Ｂとした点で、このような天井用目地装置１Ｂにしても前記本発明を実施するための第１の形態と同様な作用効果が得られる。
【００３２】
なお、本発明の実施形態では、隣り合う目地プレート本体の一部が重なりあうものについて説明したが、天井用目地プレートが変形可能な程度の微小な隙間を隔てて、隣り合う目地プレート本体を重なり合わない状態で設けてもよい。また、目地プレート本体の形状として略六角形状のものについて説明したが、略小判状（略トラック形状）にしてもよく、隣り合う目地プレート本体が回転する際に干渉しないような形状であればよい。
【００３３】
保持手段としてコイルスプリングを用いるものについて説明したが、ゼンマイばねを用いてワイヤーを付勢する、ヒンジ部材にねじりばねを用いて付勢する、壁面に滑車を介してワイヤーの他端部に重りを吊り下げて付勢する等の付勢手段を用いて保持手段を構成してもよい。
【００３４】
天井用目地プレートを左右の躯体の壁面から天井用目地プレートが下方へ回動できる程度の間隔を隔ててヒンジ部材で取り付け、左右の躯体の壁面と天井用目地プレートの基端部との隙間に軟性樹脂等の隙間剤を充填し、前記ヒンジ部材にストッパーを設けてもよい。
【００３５】
本発明の実施形態では、天井用目地装置の前後方向の両側面に壁面用目地装置が当接する場合について説明したが、天井用目地装置の前後方向の位置に柱や壁面等の障害物が位置する場合にも用いることができる。このような場合には、地震による揺れ動きが収まった場合に、保持手段の付勢力によって通常時の形状に復帰させたり、障害物等と天井用目地プレートをスプリング等の付勢手段で接続し、通常時の形状に復帰させる等の復帰手段を有することが望ましい。
【産業上の利用可能性】
【００３６】
本発明は天井用目地装置を製造する産業で利用される。
【符号の説明】
【００３７】
１、１Ａ、１Ｂ：天井用目地装置、
２：目地部、                    ３：一方の躯体、
４：他方の躯体、
５、５Ａ、５Ｂ：天井用目地プレート、  
６：傾斜面、                    ７：ヒンジ部材、
８：保持手段、                  ９：ワイヤー、
１０：スプリング、              １１：ストッパー、
１２：壁面用目地装置、          １３、１３Ａ：目地プレート取付部、
１４、１４Ａ、１４Ｂ：目地プレート取付片、
１５：枢支ピン、                １６、１６Ａ：目地プレート本体、
１７：咬合部、                  １８：連結ピン。
【図１】
2017203326.tif 000003
【図２】
2017203326.tif 000004
【図３】
2017203326.tif 000005
【図４】
2017203326.tif 000006
【図５】
2017203326.tif 000007
【図６】
2017203326.tif 000008
【図７】
2017203326.tif 000009
【図８】
2017203326.tif 000010
【図９】
2017203326.tif 000011
【図１０】
2017203326.tif 000012
【図１１】
2017203326.tif 000013
【図１２】
2017203326.tif 000014
【図１３】
2017203326.tif 000015
【図１４】
2017203326.tif 000016
【図１５】
2017203326.tif 000017
【図１６】
2017203326.tif 000018
【図１７】
2017203326.tif 000019